(57)【要約】【課題】  ズボンの内股に鏝痕が付くことを防止し、ズボンの股の箇所を綺麗に仕上げることができるようにする。【解決手段】  上鏝１と下鏝２の間に中鏝３を設ける。下鏝２と中鏝３の間にズボン４の一方の脚４ａを、上鏝１と中鏝３の間にズボン４の他方の脚４ｂを配置する。上鏝１と中鏝３と下鏝２でズボン４の両脚４ａ、４ｂを挟んでプレス仕上げする。本発明は、このようなズボン仕上げ機における中鏝３であり、ズボン４の股４ｃを配置する一方の側端部３ａで、且つズボン４の股４ｃに対応する部分３ｂを、中鏝３の側方に向かって徐々に薄くなるようテーパー状に形成する。【選択図】      図１
2016150177.tif 000002
【特許請求の範囲】
【請求項１】
上鏝と下鏝の間に中鏝が設けられ、下鏝と中鏝の間にズボンの一方の脚を、上鏝と中鏝の間にズボンの他方の脚を配置し、上鏝と中鏝と下鏝でズボンの両脚を挟んでプレス仕上げするズボン仕上げ機の中鏝であって、ズボンの股が配置される一方の側端部で、且つズボンの股に対応する部分が、中鏝の側方に向かって徐々に薄くなるようテーパー状に形成されていることを特徴とするズボン仕上げ機の中鏝。
【請求項２】
請求項１記載のズボン仕上げ機の中鏝用カバーであって、ズボンの股が配置される一方の側端部で、且つズボンの股に対応する部分が、カバーの側方に向かって徐々に薄くなるようテーパー状に形成され、この一方の側端部とカバーの前後の側端部が作る角部の周側面に、上記のズボンの股に対応する部分に向かって先細り状に襠が設けられていることを特徴とするズボン仕上げ機の中鏝用カバー。
【請求項３】
請求項２記載のズボン仕上げ機の中鏝用カバーであって、中鏝を内包するよう扁平の袋状に形成されていると共に、周側に中鏝に被せて取り付けるための取付口が周方向に延ばされて形成され、この取付口が、雌雄一対の面状ファスナーで開閉可能に形成されていることを特徴とするズボン仕上げ機の中鏝用カバー。
【発明の詳細な説明】
【技術分野】
【０００１】
本発明は、ズボン仕上げ機に関し、更に詳しくは洗濯したズボンのセットに使用する中鏝及びこの中鏝に被せて使用するカバーに関するものである。
【背景技術】
【０００２】
従来、この種の仕上げ機としては、例えば特許文献１、同２に記載されているものがある。この従来機は、上鏝と下鏝の間に、ズボンのセットに使用する中鏝が設けられている。
そして、この従来機は、中鏝と下鏝の間にズボンの一方の脚を、中鏝と上鏝の間にズボンの他方の脚を配置し、中鏝を介して上鏝を下鏝に押圧することにより、ズボンの両脚を一度にプレス仕上げできるよう形成されている。
【０００３】
而して、従来機は、特許文献１の図２、及び特許文献２の図４に示されるように、ズボンの股が配置される中鏝の一方の側端部で、且つズボンの股に対応する部分が、縦断面垂直状に立ち下げられ、角がとられて形成されていた。
従って、従来機の場合は、ズボンを中鏝にセットしてプレスすると、ズボンの内股に、中鏝の一方の側端部の上下の角（縁）が、鏝痕として付くのを避けられなかった。
【０００４】
その結果、従来機を使用すると、ズボンの股の箇所の仕上がり状態が悪く、この箇所を綺麗に仕上げることができない、という問題点があった。
【先行技術文献】
【特許文献】
【０００５】
【特許文献１】特開平５−１３１１００号公報
【特許文献２】特開２００９−１８９６７０号公報
【発明の概要】
【発明が解決しようとする課題】
【０００６】
本発明は、このような従来技術の問題点に鑑み、提案されたものである。
従って、本発明の解決しようとする技術的課題は、ズボンの内股に鏝痕が付くことを防止し、ズボンの股の箇所を綺麗に仕上げることができるよう形成したズボン仕上げ機の中鏝及びこの中鏝用カバーを提供することにある。
【課題を解決するための手段】
【０００７】
本発明は、上記の課題を解決するため、次のような技術的手段を採る。
即ち、本発明は、図１等に示されるように、上鏝１と下鏝２の間に中鏝３が設けられ、下鏝２と中鏝３の間にズボン４の一方の脚４ａを、上鏝１と中鏝３の間にズボン４の他方の脚４ｂを配置し、上鏝１と中鏝３と下鏝２でズボン４の両脚４ａ、４ｂを挟んでプレス仕上げするズボン仕上げ機の中鏝３であって、ズボン４の股４ｃが配置される一方の側端部３ａで、且つズボン４の股４ｃに対応する部分３ｂが、中鏝３の側方に向かって徐々に薄くなるようテーパー状に形成されていることを特徴とする（請求項１）。
【０００８】
而して、本発明の中鏝３に使用するカバー５としては、図１等に示されるように、ズボン４の股４ｃが配置される一方の側端部５ａで、且つズボン４の股４ｃに対応する部分５ｂが、カバー５の側方に向かって徐々に薄くなるようテーパー状に形成され、この一方の側端部５ａとカバー５の前後の側端部５ｃ、５ｄが作る角部５ｅの周側面に、上記のズボン４の股４ｃに対応する部分５ｂに向かって先細り状に襠８が設けられていることを特徴とするものがある（請求項２）。
【０００９】
本発明のカバー５は、通常、面状ファスナー１０（図７、図８参照）や紐などで中鏝３に取り付けられるが、取り付け方等は任意である。
【００１０】
また本発明のカバー５は、図１、図８等に示されるように、中鏝３を内包するよう扁平の袋状に形成されていると共に、周側に中鏝３に被せて取り付けるための取付口９が周方向に延ばされて形成され、この取付口９が、雌雄一対の面状ファスナー１０で開閉可能に形成されているのが好ましい（請求項３）。
なぜならこれによると、カバー５の交換を、簡単、迅速にできるからである。
【発明の効果】
【００１１】
本発明は、このようにズボンの股が配置される中鏝の一方の側端部で、且つズボンの股に対応する部分が、中鏝の側方に向かって徐々に薄くなるようテーパー状に形成されている。
【００１２】
従って、本発明の中鏝は、ズボンの内股に鏝痕が付くことを防止できるから、これによれば、ズボンの股の箇所を綺麗に仕上げることができる。
【００１３】
また本発明のカバーは、上記のようにズボンの股があたる箇所に、角ができないよう形成している。
従って、本発明のカバーを使用すれば、中鏝と協働してズボンの股の箇所に鏝痕を付けることなく、ズボンを綺麗に仕上げることができる。
【図面の簡単な説明】
【００１４】
【図１】本発明の仕上げ機の好適な一実施形態を示し、Ａは重合時の上鏝、中鏝、下鏝の正面図、Ｂは中鏝の平面図、ＣはＢのＣ−Ｃ線拡大断面図である。
【図２】同上仕上げ機の要部斜視図である。
【図３】同上仕上げ機の使用状態時の要部斜視図である。
【図４】中鏝の一部を切欠した要部斜視図である。
【図５】中鏝とカバーを説明するための一部を切欠した要部側面図である。
【図６】中鏝とカバーを説明するための一部を切欠した要部背面図である。
【図７】図６のＶＩＩ−ＶＩＩ線における要部拡大断面図である。
【図８】カバーの取付口を示す要部斜視図である。
【発明を実施するための形態】
【００１５】
以下、本発明の好適な一実施形態を、添付図面に従って説明する。
図１、図２等において、１は上鏝であり、２は下鏝である。本発明の中鏝３は、上鏝１と下鏝２の間に設けられている。ズボン４の一方の脚４ａは、下鏝２と中鏝３の間に、他方の脚４ｂは、上鏝１と中鏝３の間に配置される。そして、ズボン４の両脚４ａ、４ｂは、上鏝１と中鏝３と下鏝２で挟まれ、上鏝１が中鏝３を介して下鏝２を押圧することにより、一度にプレス仕上げされる。
【００１６】
上記の上鏝１、下鏝２は、この実施形態の場合、スチームを噴出可能に形成されている。また下鏝２は、スカート等を吸着してアイロンをかけるのに使用できるよう、バキューム機能を備えて形成されている。
【００１７】
而して、本発明の中鏝３は、図１、図３に示されるように、ズボン４の股４ｃが配置される一方の側端部３ａで、且つズボン４の股４ｃに対応する部分３ｂが、中鏝３の側方に向かって徐々に薄くなるようテーパー状に形成されている。このように本発明の中鏝３は、ズボン４の股４ｃがあたる箇所に角ができないよう形成されている。従って、これによれば、ズボン４の内股に鏝痕を付けることなくプレス仕上げできる。
【００１８】
また中鏝３は、図１Ｃ、図７等に示されるように、上面と下面に吸引孔３ｃが多数あけられ、空洞状に形成されている。そして、中鏝３は、その上面と下面に、カバー５とクッション質の面状材６を介してズボン４の両脚４ａ、４ｂを、外部の吸引機（図示せず）で吸着可能に形成されている。
【００１９】
従って、本発明の中鏝３によれば、ズボン４のセット作業を、容易に且つ円滑にでき、ひいてはプレス作業を効率良くできる。
なお、７（図３参照）は、ズボン４の股上の箇所４ｄを支持する台である。この台７は、下鏝２の側部に、側方に突き出されて設けられている。
【００２０】
而して、本発明の中鏝３に使用するカバー５は、図１等に示されるように、ズボン４の股４ｃが配置される一方の側端部５ａで、且つズボン４の股４ｃに対応する部分５ｂが、カバー５の側方に向かって徐々に薄くなるようテーパー状に形成されている。
【００２１】
そして、本発明のカバー５は、図４等に示されるように、この一方の側端部５ａとカバー５の前後の側端部５ｃ、５ｄが作る角部５ｅの周側面に、上記のズボン４の股４ｃに対応する部分５ｂに向かって先細り状に襠８が設けられている。襠８は、通気質のカバー５と同じ生地で形成され、カバー５に縫い付けられている。
【００２２】
また本発明のカバー５は、中鏝３を内包するよう扁平の袋状に形成されていると共に、周側に中鏝３に被せて取り付けるための取付口９（図８参照）が周方向に延ばされて形成されている。そして、この取付口９が、雌雄一対の面状ファスナー１０で開閉可能に形成されている。面状ファスナー１０は、この実施形態では、取付口９に合わせてカバー５の周方向に延ばされて長く設けられている。
【００２３】
次に、本発明の作用を説明する。
先ず、作業者は、図１Ａ、図３等に示されるように、ズボン４の一方の脚４ａを下鏝２の上面にセットし、中鏝３を降ろした後、この中鏝３の上面に、ズボン４の他方の脚４ｂを載せてセットする。この場合、脚は不用意に動かないよう中鏝３に吸着される。
【００２４】
次に、この状態で上鏝１が中鏝３を介して下鏝２に、所定の時間だけ押し付けられる。この場合、ズボン４の脚４ａ、４ｂは、上鏝１や下鏝２から噴出するスチームで蒸らされながら、プレス仕上げされる。
【００２５】
而して、本発明の中鏝３は、上記の通り、内股に対応する一方の側端部３ａがテーパー状になだらかに形成されている。従って、上鏝１のプレス圧がズボン４に加わったとき、本発明によると、ズボン４の股４ｃの内側、外側の部分に、上鏝１や下鏝２による鏝痕を付けることがない。
【００２６】
またカバー５を交換するときは、図８に示されるように、作業者は、先ず、取付口９の面状ファスナー１０の鉤着状態を解き、次に、カバー５を中鏝３から取り外す。そして、新品を取り付け直すものである。この場合、本発明は、取付口９の開閉を面状ファスナー１０で行うように形成しているから、紐などで取付口９を開閉する場合に比べ、簡単、迅速にカバー５の交換作業を行うことができる。
【００２７】
以上の処において、本発明の場合、中鏝３のテーパー状部分の形成の仕方は、任意である。即ち、中鏝３の上面と下面自体を側方に向かって徐々に薄くなるよう形成するのでも、或いは中鏝３の一方の側端部３ａの所定箇所に、中鏝３の側方に向かって徐々に薄くなるよう形成した、例えばクッション材を設けることにより実現するのでも良い。
【符号の説明】
【００２８】
１      上鏝
２      下鏝
３      中鏝
３ａ    一方の側端部
３ｂ    ズボンの股に対応する部分
４      ズボン
４ａ    一方の脚
４ｂ    他方の脚
４ｃ    股
【図１】
2016150177.tif 000003
【図２】
2016150177.tif 000004
【図３】
2016150177.tif 000005
【図４】
2016150177.tif 000006
【図５】
2016150177.tif 000007
【図６】
2016150177.tif 000008
【図７】
2016150177.tif 000009
【図８】
2016150177.tif 000010